【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
ゲームが実行されるゲーム装置であって、
ゲームに関連する情報を保持する情報保持媒体を収容する第１収容手段と、
前記第１収容手段から移送手段を介して移送されてきた情報保持媒体を収容する第２収容手段と、
（１）情報保持媒体が前記第１収容手段に収容されているとき、（２）情報保持媒体が前記移送手段により移送されているとき、または（３）情報保持媒体が前記第２収容手段に収容されているときに、情報保持媒体に保持される情報を取得する第１取得手段と、
前記第１取得手段によって取得された情報に応じた演出を出力する出力手段と、
対価の支払いを条件として、前記第２収容手段に収容されている情報保持媒体のうちの少なくともひとつを排出する排出手段と、を備えるゲーム装置。
【請求項２】
前記第１取得手段によって取得された情報に基づいて前記第２収容手段の収容状態を制御する制御手段をさらに備え、
前記出力手段は、前記制御手段によって制御された収容状態に応じた演出を出力する請求項１に記載のゲーム装置。
【請求項３】
情報保持媒体に保持される情報は、ゲーム要素の情報、及び当該ゲーム要素を特定するための情報のうちの少なくとも何れかの情報を含み、
前記収容状態に応じた演出は、前記第２収容手段に収容されている情報保持媒体に対応するゲーム要素に応じた演出を含む請求項２に記載のゲーム装置。
【請求項４】
前記出力手段は、ディスプレイを含み、
前記制御手段は、前記第２収容手段に収容されている情報保持媒体に対応するゲーム要素を表すイメージを前記ディスプレイに表示させる請求項３に記載のゲーム装置。
【請求項５】
前記第２収容手段は、それぞれが少なくともひとつの情報保持媒体を保持可能な複数の保持手段を含み、
前記ディスプレイは、それぞれが前記複数の保持手段のそれぞれに対応する複数の表示領域を有し、
前記制御手段は、保持手段に保持されている情報保持媒体に対応するゲーム要素を表すイメージを前記ディスプレイの対応する表示領域に表示させる請求項４に記載のゲーム装置。
【請求項６】
前記第１取得手段とは異なる第２取得手段であって、ユーザ操作により情報保持媒体から情報を取得する第２取得手段をさらに備え、
前記制御手段は、保持手段に保持されている情報保持媒体に対応するゲーム要素を表すイメージを前記ディスプレイの対応する表示領域に表示させる前に、該表示領域に該イメージとは異なるイメージを表示させ、
前記制御手段はさらに、前記第２取得手段により情報保持媒体から取得された情報、または前記ゲーム装置で実行されるゲームの展開に応じて、前記異なるイメージを前記イメージに変更する請求項５に記載のゲーム装置。
【請求項７】
前記複数の保持手段は、所定の情報保持媒体用の保持手段を含み、
前記排出手段は、前記第２取得手段により情報保持媒体から情報が取得されたことを条件として、前記所定の情報保持媒体用の保持手段に保持されている情報保持媒体を排出する請求項５または６に記載のゲーム装置。
【請求項８】
前記出力手段は、前記第２収容手段に収容されている情報保持媒体のなかに所定のゲーム要素に対応する情報保持媒体が含まれていることを条件として、該所定のゲーム要素に応じた演出を出力する請求項３に記載のゲーム装置。
【請求項９】
前記排出手段は、前記第２収容手段に収容されている情報保持媒体を所定の順序で排出する請求項２から６のいずれか一項または請求項８に記載のゲーム装置。
【請求項１０】
前記排出手段は、前記第２収容手段に収容されている情報保持媒体のなかから無作為に選択された情報保持媒体を排出する請求項２から６のいずれか一項または請求項８に記載のゲーム装置。
【請求項１１】
前記ゲーム装置で実行されるゲームは、ゲームがプレイされる第１モードと、ゲームがプレイされない第２モードと、を有し、
前記排出手段は、前記第１モードと前記第２モードとで異なる態様で情報保持媒体を排出する請求項２から６のいずれか一項または請求項８に記載のゲーム装置。
【請求項１２】
前記第２モードは、前記第１モードよりも早く情報保持媒体を排出させるためのモードである請求項１１に記載のゲーム装置。
【請求項１３】
情報保持媒体に保持される情報は、ゲーム要素の属性情報を含み、
前記収容状態に応じた演出は、前記第２収容手段に収容されている情報保持媒体に対応するゲーム要素の属性情報に応じた演出を含む請求項２に記載のゲーム装置。
【請求項１４】
前記属性情報は、ゲーム要素のレアリティを含み、
前記収容状態に応じた演出は、所定のレアリティを有するゲーム要素に対応する情報保持媒体の前記第２収容手段への収容数に応じた演出を含む請求項１３に記載のゲーム装置。
【請求項１５】
前記制御手段は、前記排出手段によって排出された情報保持媒体と、過去に排出された情報保持媒体と、が同じかまたは所定の関係を有すること、及び同一ユーザに対応付けられていること、を条件として、特典処理を実行する請求項２から１４のいずれか一項に記載のゲーム装置。
【請求項１６】
前記出力手段は、ゲームの実行の終了からの一定期間において特典告知の演出を出力し、
前記制御手段は、特典告知の演出に応じて対価の支払いがなされた場合、特典処理を実行する請求項２から１５のいずれか一項に記載のゲーム装置。
【請求項１７】
前記制御手段は、前記第２収容手段に情報の取得に失敗した情報保持媒体が収容されていることを条件として、該情報保持媒体が他の情報保持媒体とは異なる態様で排出されるよう前記排出手段を制御する請求項２から１６のいずれか一項に記載のゲーム装置。
【請求項１８】
前記移送手段は、前記第２収容手段に収容されている情報保持媒体のうちの少なくともひとつが排出されたことを契機として、前記第２収容手段へ情報保持媒体を移送する請求項１から１７のいずれか一項に記載のゲーム装置。
【請求項１９】
前記第２取得手段により情報が取得される情報保持媒体は、前記第１収容手段または前記第２収容手段に収容されている情報保持媒体と同じ形状を有する請求項６または７に記載のゲーム装置。
【請求項２０】
請求項６に記載のゲーム装置において、前記第１取得手段、及び第２取得手段により情報が取得される情報保持媒体であって、
前記ゲーム要素の情報、及び当該ゲーム要素を特定するための情報のうち少なくとも何れかを有し、
前記ゲーム要素は、前記第１取得手段により情報が取得された場合と、前記第２取得手段により情報が取得された場合とでは、異なる態様にて前記出力手段にて出力される情報保持媒体。
【請求項２１】
ゲーム装置にゲームを実行する機能を実現させるためのコンピュータプログラムであって、前記ゲーム装置は、ゲームに関連する情報を保持する情報保持媒体を収容する第１収容手段と、前記第１収容手段から移送手段を介して移送されてきた情報保持媒体を収容する第２収容手段と、演出を出力する出力手段と、情報保持媒体を排出する排出手段と、を備え、
前記コンピュータプログラムは、
（１）情報保持媒体が前記第１収容手段に収容されているとき、（２）情報保持媒体が前記移送手段により移送されているとき、または（３）情報保持媒体が前記第２収容手段に収容されているときに、情報保持媒体に保持される情報を取得する機能と、
前記取得された情報に応じた演出を前記出力手段に出力させる機能と、
対価の支払いを条件として、前記第２収容手段に収容されている情報保持媒体のうちの少なくともひとつを前記排出手段に排出させる機能と、を前記ゲーム装置に実現させるコンピュータプログラム。
【手続補正２】
【補正対象書類名】明細書
【補正対象項目名】０００６
【補正方法】変更
【補正の内容】
【０００６】
本発明のある態様は、ゲーム装置に関する。このゲーム装置は、ゲームが実行されるゲーム装置であって、ゲームに関連する情報を保持する情報保持媒体を収容する第１収容手段と、第１収容手段から移送手段を介して移送されてきた情報保持媒体を収容する第２収容手段と、（１）情報保持媒体が第１収容手段に収容されているとき、（２）情報保持媒体が移送手段により移送されているとき、または（３）情報保持媒体が第２収容手段に収容されているときに、情報保持媒体に保持される情報を取得する第１取得手段と、第１取得手段によって取得された情報に応じた演出を出力する出力手段と、出力手段による演出の出力の後に、第２収容手段に収容されている情報保持媒体のうちの少なくともひとつを排出する排出手段と、を備える。
本発明の別の態様は、ゲーム装置に関する。このゲーム装置は、ゲームが実行されるゲーム装置であって、ゲームに関連する情報を保持する情報保持媒体を収容する第１収容手段と、前記第１収容手段から移送手段を介して移送されてきた情報保持媒体を収容する第２収容手段と、（１）情報保持媒体が前記第１収容手段に収容されているとき、（２）情報保持媒体が前記移送手段により移送されているとき、または（３）情報保持媒体が前記第２収容手段に収容されているときに、情報保持媒体に保持される情報を取得する第１取得手段と、前記第１取得手段によって取得された情報に応じた演出を出力する出力手段と、対価の支払いを条件として、前記第２収容手段に収容されている情報保持媒体のうちの少なくともひとつを排出する排出手段と、を備える。